(57)【要約】【課題】駆動側の回転部材の回転駆動力のうち一回転方向の回転駆動力のみを被駆動側の回転部材に伝達して回転駆動する回転駆動機構の組立性を向上させる。【解決手段】一回転方向の回転駆動力のみを被駆動側の回転部材に伝える回転中継部材は、被駆動側の回転部材と一体的に回転するように設けられたハウジング部と、ハウジング部の内周側に設けられた円筒状のワンウェイクラッチとを有する。また、駆動側の回転部材の回転駆動力が軸を介してワンウェイクラッチの内周側に伝達されるよう駆動側の回転部材と軸との接触部を両者が連動して回転するように構成した。駆動側の回転部材は、保持部材に形成された支持孔に回転自在に保持されたボス部を有する。軸の前記駆動側の回転部材を支持している部分及び駆動側の回転部材の貫通孔の内壁面は、軸及び駆動側の回転部材が一体的に回転するように形成されている。【選択図】図７
2018154415.tif 000002
【特許請求の範囲】
【請求項１】
被駆動側の回転部材と、駆動源からの回転駆動力が伝達される駆動側の回転部材と、その駆動側の回転部材の回転駆動力のうち一回転方向の回転駆動力のみを前記被駆動側の回転部材に伝える回転中継部材とを備える回転駆動機構であって、
前記被駆動側の回転部材、前記回転中継部材及び前記駆動側の回転部材はそれぞれ軸が貫通するように中心軸線を含む貫通孔を有し、
前記回転中継部材は、前記被駆動側の回転部材と一体的に回転するように設けられたハウジング部と、前記ハウジング部の内周側に設けられた円筒状のワンウェイクラッチとを有し、
前記駆動側の回転部材の回転駆動力が前記軸を介して前記ワンウェイクラッチの内周側に伝達されるよう前記駆動側の回転部材と前記軸との接触部を両者が連動して回転するように構成し、
前記駆動側の回転部材は、その駆動側の回転部材を保持する保持部材側に突出し前記保持部材に形成された支持孔に回転自在に保持されたボス部を有し、
前記軸の前記駆動側の回転部材を支持している部分及び前記駆動側の回転部材の貫通孔の内壁面は、前記軸及び前記駆動側の回転部材が一体的に回転するように形成されていることを特徴とする回転駆動機構。
【請求項２】
請求項１の回転駆動機構において、
前記保持部材の支持孔の内周面と前記駆動側の回転部材のボス部の外周面とは互いに摺動可能に形成され、
前記保持部材及び前記駆動側の回転部材はそれぞれ樹脂で形成されていることを特徴とする回転駆動機構。
【請求項３】
請求項１又は２の回転駆動機構において、
前記駆動側の回転部材は、その駆動側の回転部材に回転駆動力を伝達する回転駆動伝達部材と同じ材質で形成されていることを特徴とする回転駆動機構。
【請求項４】
読取対象の画像を有するシートが載置される載置部と、
前記載置部に載置されたシートを送出する送出ローラと、
前記送出ローラで送出されたシートを搬送する搬送ローラと、
前記搬送ローラで搬送されたシートの画像を読み取る画像読取手段と、を備えた画像読取装置であって、
前記送出ローラを回転駆動する回転駆動機構として、請求項１乃至３のいずれかの回転駆動機構を備えることを特徴とする画像読取装置。
【請求項５】
読取対象の画像を有するシートが載置される載置部と、
前記載置部に載置されたシートを送出する送出ローラと、
前記送出ローラで送出されたシートを搬送する搬送ローラと、
前記搬送ローラで搬送されたシートの画像を読み取る画像読取手段と、
前記画像読取手段で読み取った画像に基づいて、記録媒体上に画像を形成する画像形成手段と、を備えた画像形成装置であって、
前記送出ローラを回転駆動する回転駆動機構として、請求項１乃至３のいずれかの回転駆動機構を備えることを特徴とする画像形成装置。
【請求項６】
画像形成対象のシート状の記録媒体が載置される載置部と、
前記載置部に載置された記録媒体を送出する送出ローラと、
前記送出ローラで送出された記録媒体を搬送する搬送ローラと、
前記搬送ローラで搬送された記録媒体上に画像を形成する画像形成手段と、を備えた画像形成装置であって、
前記送出ローラを回転駆動する回転駆動機構として、請求項１乃至３のいずれかの回転駆動機構を備えることを特徴とする画像形成装置。
【発明の詳細な説明】
【技術分野】
【０００１】
本発明は、回転駆動機構、画像読取装置及び画像形成装置に関するものである。
【背景技術】
【０００２】
従来、被駆動側の回転部材と、駆動源からの回転駆動力が伝達される駆動側の回転部材と、その駆動側の回転部材の回転駆動力のうち一回転方向の回転駆動力のみを前記被駆動側の回転部材に伝える回転中継部材とを備えた回転駆動機構が知られている。
【０００３】
特許文献１には、かかる回転駆動機構であって、前記回転中継部材として歯車連結式のクラッチを備えたものが開示されている。このクラッチは、被駆動側の回転部材の端面に形成されたラチェット歯車部と、そのラチェット歯車部にかみ合うラチェット歯車部が出力側端面に形成され駆動側の回転部材から回転駆動力が伝達される回転中継部材（カラー部材）とにより構成されている。また、前記ラチェット歯車部が端面に形成された被駆動側の回転部材及び回転中継部材はそれぞれ、中心軸線を含む貫通孔が形成されている。このクラッチでは、前記２つのラチェット歯車部がかみ合うことにより、駆動側の回転部材から回転中継部材の入力側に伝達された回転駆動力のうち一回転方向の回転駆動力のみが被駆動側の回転部材に伝達される。
【発明の概要】
【発明が解決しようとする課題】
【０００４】
しかしながら、特許文献１の歯車連結式のクラッチを備えた回転駆動機構では次のような組立時の課題があることがわかった。回転駆動機構の組立時には、被駆動側の回転部材と回転中継部材（カラー部材）とが互いに分離した状態でそれぞれの貫通孔に軸を通す必要があり、組立性が悪いという課題である。
【課題を解決するための手段】
【０００５】
上記課題を解決するために、本発明は、被駆動側の回転部材と、駆動源からの回転駆動力が伝達される駆動側の回転部材と、その駆動側の回転部材の回転駆動力のうち一回転方向の回転駆動力のみを前記被駆動側の回転部材に伝える回転中継部材とを備える回転駆動機構であって、前記回転中継部材及び前記駆動側の回転部材はそれぞれ軸が貫通するように中心軸線を含む貫通孔を有し、前記回転中継部材は、前記被駆動側の回転部材と一体的に回転するように設けられたハウジング部と、前記ハウジング部の内周側に設けられた円筒状のワンウェイクラッチとを有し、前記駆動側の回転部材の回転駆動力が前記軸を介して前記ワンウェイクラッチの内周側に伝達されるよう前記駆動側の回転部材と前記軸との接触部を両者が連動して回転するように構成し、前記駆動側の回転部材は、その駆動側の回転部材を保持する保持部材側に突出し前記保持部材に形成された支持孔に回転自在に保持されたボス部を有し、前記軸の前記駆動側の回転部材を支持している部分及び前記駆動側の回転部材の貫通孔の内壁面は、前記軸及び前記駆動側の回転部材が一体的に回転するように形成されていることを特徴とするものである。
【発明の効果】
【０００６】
本発明によれば、駆動側の回転部材の回転駆動力のうち一回転方向の回転駆動力のみを被駆動側の回転部材に伝達して回転駆動する回転駆動機構の組立性を向上させることができる。
【図面の簡単な説明】
【０００７】
【図１】本実施形態に係る画像形成装置の内部の概略構成の一例を示す説明図。
【図２】本実施形態に係る画像形成装置における画像読取装置の上面図。
【図３】本実施形態に係る画像読取装置における自動原稿搬送装置（ＡＤＦ）の特殊原稿供給部側から見た斜視図。
【図４】本実施形態に係る画像読取装置における自動原稿搬送装置（ＡＤＦ）のピックアップローラ及びフィードローラ並びにその駆動系の一例を示す斜視図。
【図５】図４のピックアップローラ及びフィードローラ並びにその駆動系を別の方向から見た部分斜視図。
【図６】（ａ）及び（ｂ）はそれぞれ比較例に係るピックアップローラの回転駆動機構の分解図及び組立図。
【図７】本実施形態の自動原稿搬送装置（ＡＤＦ）のピックアップローラの回転駆動機構の一例を示す分解図。
【図８】（ａ）はワンウェイクラッチのロック時の説明図。（ｂ）はワンウェイクラッチの空転時の説明図。
【図９】本実施形態の自動原稿搬送装置（ＡＤＦ）のピックアップローラの回転駆動機構の組立図。
【図１０】本実施形態の自動原稿搬送装置（ＡＤＦ）の組立後の回転駆動機構におけるピックアップローラの軸の一端部側の支持部を示す部分斜視図。
【発明を実施するための形態】
【０００８】
以下、図面を参照して実施形態について説明する。
図１は、本実施形態に係る画像形成装置１の内部の概略構成の一例を示す説明図である。
図１に示すように、本実施形態の画像形成装置１は、画像形成装置本体１０と原稿の画像を読み取る画像読取装置２０とを備えた複写機の例である。画像形成装置本体１０は、画像が形成される記録媒体としての記録紙が収容される記録媒体収容手段としての記録紙収容部１１と、画像形成手段としての画像形成部（作像部）１２とを備えている。画像読取装置２０は、画像読取手段としての画像読取部２１と、原稿供給装置としての自動原稿搬送装置（以下「ＡＤＦ」ともいう。）２２とを備えている。原稿は、画像読取部２１で読み取られる画像を含む。
【０００９】
画像形成部１２は例えば、露光手段としての露光ユニットと、複数の感光体ドラムと、シアン（Ｃ）、マゼンタ（Ｍ）、イエロー（Ｙ）、ブラック（Ｋ）の４色のトナーを用いる現像装置と、中間転写体としての転写ベルトと、二次転写部と、定着部等とを備える。画像形成部１２は、画像読取装置２０で読み取った原稿の読取画像又はＰＣ（パーソナルコンピュータ）等の外部装置から送信される印刷データに基づき、例えば次のように作像する。画像形成部１２は、前記印刷データに基づいて、露光ユニットにより各色の感光体ドラムを露光して各感光体ドラム上に静電潜像を形成し、現像装置の各色の現像ユニットで各感光体ドラムの潜像上にトナーを供給して現像する。また、画像形成部１２は、各色の感光体ドラム上のトナー像を転写ベルトに一次転写し、二次転写部で記録媒体としての記録紙上に重ねて二次転写した後、定着部により記録紙上のトナー像を加熱および加圧して定着させ、カラー画像を形成することができる。
【００１０】
画像読取装置２０は、ＤＦスキャナモード（搬送原稿読み取りモード）とフラットベッドスキャナモード（載置原稿読み取りモード）とを切り替えて実行可能に構成されている。ＤＦスキャナモードは、ＡＤＦ２２で原稿を搬送している自動搬送中に、その原稿の画像の読み取るモードである。フラットベッドスキャナモード（以下「ＦＢＳモード」という。）は、平坦なフラットベッドコンタクトガラス２１５上に載置された原稿の画像を読み取るモードである。
【００１１】
ＦＢＳモードにおいて、画像読取部２１は、フラットベッドコンタクトガラス２１５上の原稿（例えば個別原稿シート、厚紙、本、カード等）の画像面に光を照射して、その画像面からの反射光を画像信号に変換することにより、原稿画像を読み取ることができる。ここで、「個別原稿シート」は、例えば、Ａ３、Ａ４、Ａ５などの定型サイズを有する１枚のシートからなる原稿（以下「原稿シート」という。）である。
【００１２】
また、ＤＦスキャナモードにおいて、ＡＤＦ２２は、シート載置部材（シート載置台）である原稿トレイ（マルチトレイ）２２１上に積載された原稿シートの束から、送出ローラとしてのピックアップローラ２２２により原稿シートを１枚ずつ分離して送出する。原稿トレイ２２１は、搬送対象のシートである原稿が排出されるシート排出部としての排紙トレイ２２６の上方に設けられている。また、原稿トレイ２２１は、利用者の操作によってＡＤＦ本体側の回動支持部を中心に回動して排紙トレイ２２６を覆うように閉じた閉状態と排紙トレイ２２６を開放するように開いた開状態とを取り得るように構成されている。
【００１３】
原稿トレイ２２１から送出された原稿シートは、シート搬送ローラとしてのフィードローラ２２３により、シート搬送経路としての原稿搬送経路２２８内に搬入される。更に、原稿シートは、搬送ローラ２２４、２２５により原稿搬送経路２２８に沿って搬送される。この搬送中に、原稿シートが、その搬送方向の先端部分から順次部分的に画像読取部２１の上面側のＤＦコンタクトガラス（スリットガラス）２１６に対面するようになっている。すなわち、画像読取装置２０は、ＡＤＦ２２により搬送される原稿シート上の画像を画像読取部２１のＤＦコンタクトガラス２１６上で順次読み取ることにより、ＤＦスキャナの機能を発揮できるようになっている。フラットベッドコンタクトガラス２１５とＤＦコンタクトガラス２１６との間には、両者を中継するように支持する中継支持部を有する。
【００１４】
ＡＤＦ２２は、画像形成装置本体１０の上面側の後部（図１中の背面側の部分）にヒンジ等の開閉機構を介して取り付けられている。そして、ＡＤＦ２２は、画像形成装置本体１０に対してフラットベッドコンタクトガラス２１５上を開放する開位置と、フラットベッドコンタクトガラス２１５上の原稿を押し付け可能な閉位置とを採り得るようになっている。
【００１５】
図２は、本実施形態の画像読取装置２０の上面図である。原稿トレイ２２１は、その載置面２２１ａ上にセットされた原稿シートＳを原稿給紙方向（シート搬送方向）と直交する幅方向で位置決めする左右一対の可動のサイドガイド板２２９が装着されている。サイドガイド板２２９は、原稿トレイ２２１の幅方向の中心と原稿シートＳの幅方向の中心を一致させるように相対的に接近・離間可能に構成されている。サイドガイド板２２９は、原稿トレイ２２１の一方の縁部側に原稿シートＳの一方の縁部を当接させて他方の縁部側のみを移動可能に配置したものでもよい。
【００１６】
ＡＤＦ２２は、少なくともその上方を開閉可能としたカバー２３０によって覆われている。カバー２３０は、原稿シートＳの先端がそのカバー２３０内に入るように原稿トレイ２２１の給紙側端部付近の上方に給紙口２３０ａを形成している。また、カバー２３０は、給紙口２３０ａよりも内部に原稿トレイ２２１の先端部分が収納されるように、原稿トレイ２２１の搬送方向先端部分の上方を覆っている。また、ＡＤＦ２２は、給紙口２３０ａから排出口までの原稿搬送経路２２８の搬送通路を形成する主要なガイド部分を、カバー２３０等に形成されたリブ等によって形成している。
【００１７】
図１に示すように、フラットベッドコンタクトガラス２１５は、画像読取装置２０がフラットベッドスキャナ（ＦＢＳ）として機能する場合に読取対象の原稿シートＳ等の原稿が載置されるとき、その原稿の画像面に対面するようになっている。また、ＤＦコンタクトガラス２１６は、画像読取装置２０がＤＦスキャナとして機能する場合に次のような特殊原稿の画像面に対面するようになっている。すなわち、ＤＦコンタクトガラス２１６は、原稿搬送経路２２８の所定読み取り位置を通過する原稿シートＳの画像面又は後述の小サイズのカード形状の原稿や厚い原稿等の曲がりにくい特殊原稿の画像面に対面するようになっている。更に、ＤＦコンタクトガラス２１６は、フラットベッドコンタクトガラス２１５に対して予め設定された傾斜角をなすよう傾斜している。
【００１８】
画像読取部２１の内部には、キャリッジ２１１とＦＢＳ・ＤＦ兼用の画像読取素子部としての一体型光学走査ユニット２１２とからなる第１読取ユニットと、図１中の左右方向に延びるガイドレール（「ガイドロッド」ともいう。）２１４とが設けられている。第１読取ユニットのキャリッジ２１１は、例えば、一体型光学走査ユニット２１２を保持するブラケットと、複数の弾性部材としての圧縮コイルばねとを備えている。圧縮コイルばねは、一体型光学走査ユニット２１２とキャリッジ２１１のブラケットとの間に圧縮状態で組み込まれている。また、キャリッジ２１１の下部には、反射型又は透過式の光学式センサなどで構成されるホームポジションセンサ２１７、２１８で検知される被検知部２１３を備えている。第１読取ユニットのホームポジションセンサ２１７で検知される位置は、ＤＦスキャナモードにおけるホームポジションであり、ホームポジションセンサ２１８で検知される位置は、ＦＢＳモードにおけるホームポジションである。
【００１９】
一体型光学走査ユニット２１２は、例えば、モールドフレームに、等倍結像素子ルーフミラーレンズアレイ、光路分離ミラー、等倍イメージセンサ、照明光源等を保持させた密着イメージセンサとして構成されている。一体型光学走査ユニット２１２は、画像を主走査方向に高解像でライン走査することができ、書籍の原稿等の画像読取りにも対応可能な大きな焦点深度を有するように構成されている。主走査方向は、フラットベッドコンタクトガラス２１５の上面およびＤＦコンタクトガラス２１６の上面の双方に対して平行な方向である。なお、一体型光学走査ユニット２１２は、ＤＦスキャナとフラットベッドスキャナに対応できる構成であれば、特定の方式に限定されるものではない。
【００２０】
また、一体型光学走査ユニット２１２の上部には、フラットベッドコンタクトガラス２１５及びＤＦコンタクトガラス２１６のうち少なくとも一方の下面に当接しつつ副走査方向に円滑に滑り動く矩形環状の上部スライダ部が装着されている。なお、上部スライダ部は、一体型光学走査ユニット２１２の長手方向又は短手方向に延在するとともに、その延在方向と直交する方向で互いに離間する突起状のものであってもよい。また、上部スライダ部は、複数の半球状の突起等で構成されてもよい。いずれの場合も、上部スライダ部は、フラットベッドコンタクトガラス２１５及びＤＦコンタクトガラス２１６下面かそれに代わるガイド面に対し、低摩擦係数で摺動性・滑動性が良く、無潤滑にできる素材で形成してもよい。
【００２１】
一体型光学走査ユニット２１２は、キャリッジ２１１のブラケットの下方側に配置されたガイドレール２１４によって副走査方向（図中矢印Ａ方向）に移動自在に案内されている。この副走査方向の位置に応じて、一体型光学走査ユニット２１２は、その上部でフラットベッドコンタクトガラス２１５及びＤＦコンタクトガラス２１６のうちいずれか片方または両方にスライド可能に当接する。これにより、第１読取ユニットは、ガイドレール２１４に沿って移動自在であるものの、ガイドレール２１４の軸回りの傾きが規制される。
【００２２】
第１読取ユニットは、フラットベッドコンタクトガラス２１５上の原稿の画像面を主走査方向にライン走査するとともに副走査方向に移動することで、原稿の画像を読み取ることができる。また、第１読取ユニットは、ＤＦコンタクトガラス２１６上を通過する搬送原稿の画像を主走査方向にライン走査することで、原稿の画像を読み取ることができる。
【００２３】
画像読取部２１の内部には、無端のループ状でその周方向の一箇所に第１読取ユニットのキャリッジ２１１が固定されたタイミングベルトが設けられている。また、画像読取部２１の内部には、タイミングベルトが弛みなく掛け渡された複数のタイミングプーリ、いずれか１つのタイミングプーリを回転駆動するモータ等が設けられている。
【００２４】
画像読取装置２０において、ＦＢＳモードの読取動作を行う場合、第１読取ユニットは、ホームポジションセンサ２１８で検知されるＦＳＢホームポジションから副走査方向の一方側に移動しながら、図１中の右側に移動する。そして、その微小移動距離毎に一体型光学走査ユニット２１２によるライン走査を実行して、フラットベッドコンタクトガラス２１５上の載置原稿の表面（下面）の画像を読み取る。また、その読取動作が終了すると、第１読取ユニットは再度、ＦＳＢホームポジションに戻る。
【００２５】
ＤＦスキャナモードの読取動作を行う場合、第１読取ユニットは、ホームポジションセンサ２１７で検知されるＤＦホームポジションからＤＦコンタクトガラス２１６の下方に移動する。すなわち、第１読取ユニットは、ＤＦホームポジションから予め設定された距離だけ副走査方向他方側に移動してＤＦコンタクトガラス２１６の下方で停止し、ＤＦコンタクトガラス２１６上を通過する原稿の表面の画像を読み取る。
【００２６】
第１読取ユニットは、このように、フラットベッドコンタクトガラス２１５の下方側とＤＦコンタクトガラス２１６の下方側とに位置し得るよう副走査方向に移動可能である。そして、一体型光学走査ユニット２１２は、その副走査方向位置に応じて、フラットベッドコンタクトガラス２１５を通して画像読取り可能な水平の第１読取姿勢と、ＤＦコンタクトガラス２１６を通して画像読取り可能な傾斜した第２読取姿勢とに姿勢変化する。
【００２７】
ＡＤＦ２２は、前述のように原稿トレイ２２１と、原稿シートＳを画像読み取り可能に搬送する原稿搬送経路２２８とを備えている。更に、ＡＤＦ２２は、画像読取り後の原稿シートＳや後述のカードＣ等の特殊原稿が排出されてスタックされる排出シート載置部としての排紙トレイ２２６とを備えている。原稿トレイ２２１の直下には、利用者が排紙トレイ２２６上のシートを取り出すための空間を有している。また、原稿トレイ２２１と排紙トレイ２２６とは、小型化を目的として、少なくともそれらの一部が離間する状態で上下に重ねて配置されている。
【００２８】
図３は、本実施形態の自動原稿搬送装置（ＡＤＦ）２２の特殊原稿供給部２３１側から見た斜視図である。特殊原稿供給部２３１は、小サイズのカード形状の原稿（以下「カード」ともいう。）Ｃや厚い原稿などの特殊原稿を供給する原稿供給部である。カードＣや厚い原稿などの特殊原稿は、読取対象の画像を含む原稿である。また、本実施形態の自動原稿搬送装置（ＡＤＦ）２２は、特殊原稿供給部２３１から供給して搬送したカードＣ等の特殊原稿を排紙トレイ２２６上に排出可能に構成されている。
【００２９】
ここで、カードＣは、銀行等のキャッシュカードや各種クレジットカード等のような厚手の樹脂カード類や、樹脂等（厚紙でもよい）で形成された標準定型サイズのカード類、例えば免許証、ＩＤカード（身分証明書カード）、交通系カード等であってもよい。また、上記「小サイズ」は、例えば葉書サイズよりも小さいサイズであり、身分証明書カードの形状を定めた国際規格であるＩＳＯ／ＩＥＣ  ７８１０のＩＤ−１、ＩＤ−２またはＩＤ−３のいずれか、またはそれと同程度のカードサイズであってもよい。
【００３０】
図３及び前述の図２に示すように、特殊原稿供給部２３１は、搬送ローラ２２４と、特殊原稿供給口２３２と、特殊原稿供給トレイ（手差トレイ）２２７と、特殊原稿搬送経路２３３とを有する。ここで、搬送ローラ２２４は、カードＣ等の特殊原稿を送出する送出ローラとしての一対のピックアップローラとして機能する。
【００３１】
図２に示すように、特殊原稿供給トレイ２２７は、常時は閉じていてカバー２３０の側面の一部を構成し、特殊原稿供給口２３２を開放するように回動可能となっている。また、特殊原稿供給トレイ２２７は、閉状態にある場合には通常原稿である原稿シートＳの搬送ガイドの一部となる。
【００３２】
搬送ローラ（ピックアップローラ）２２４は、特殊原稿供給トレイ２２７にセットされた読取対象の画像を含むカードＣ等の特殊原稿を取り出して送出し、特殊原稿搬送経路２３３に供給する。
【００３３】
特殊原稿搬送経路２３３は、特殊原稿供給口２３２から下向き傾斜したＤＦコンタクトガラス２１６に至る曲がりのない経路であり、ＤＦコンタクトガラス２１６の上流側で原稿搬送経路２２８に合流する。この際、特殊原稿搬送経路２３３は、ＤＦコンタクトガラス２１６の下向き傾斜に伴い、特殊原稿供給口２３２からＤＦコンタクトガラス２１６に至る範囲を、ＤＦコンタクトガラス２１６の傾斜角度に沿って同一平面上に位置している。
【００３４】
本実施形態のＡＤＦ２２によれば、ＡＤＦ２２の小型化や読み取り時間の短縮化に貢献しつつ、小サイズで厚手の樹脂カード等の特殊原稿の画像読み取りを可能とし、原稿の読み取りの多様化に対応することができる。
【００３５】
次に、本実施形態の自動原稿搬送装置（ＡＤＦ）２２における回転駆動機構について説明する。
図４は本実施形態に係る画像読取装置におけるＡＤＦ２２のピックアップローラ２２２及びフィードローラ２２３並びにその駆動系の一例を示す斜視図である。図５は、図４のピックアップローラ２２２及びフィードローラ２２３並びにその駆動系を別の方向から見た部分斜視図である。図６は、本実施形態のＡＤＦ２２のピックアップローラ２２２の軸２７０の一端部側の支持部を示す部分斜視図である。
【００３６】
前述のように、ピックアップローラ２２２は、原稿トレイ２２１上に積載された原稿シートの束から原稿シートＳを１枚ずつ分離して送出するローラである。ピックアップローラ２２２を回転駆動する回転駆動機構２４０は、被駆動側の回転部材としてのピックアップローラ２２２と、駆動側の回転部材としてのギア２５０と、回転中継部材２６０とを備える。
【００３７】
ギア２５０は、モータ等の駆動源からの回転駆動力が伝達される。図示の例では、モータからフィードローラ２２３に回転駆動力を伝達する駆動軸に設けられた出力ギア３１０から、回転駆動伝達部材としての中継ギア３２０、３３０、３４０を介してギア２５０に回転駆動力が伝達される。
【００３８】
回転中継部材２６０は、ギア２５０の回転駆動力のうち原稿シートＳを送出する所定の回転方向である一回転方向の回転駆動力のみをピックアップローラ２２２に伝える。この所定の回転方向である一回転方向の回転駆動力が伝達されたピックアップローラ２２２により、フィードローラ２２３側に向けて原稿シートＳを送出することができる。そして、何らかの原因で原稿シートＳの送出方向とは逆方向の回転駆動力がギア２５０に伝達されたとしても、そのギア２５０の回転駆動力はピックアップローラ２２２に伝達されないため、原稿シートＳの送出エラーが発生しにくくなる。
【００３９】
なお、本実施形態の回転駆動機構２４０のギア２５０は、そのギア２５０に回転駆動力を伝達する出力ギア３１０及び中継ギア３２０、３３０、３４０と同じ材質で形成してもよい。この場合は、ギア２５０と、出力ギア３１０及び中継ギア３２０、３３０、３４０との間の一方の部材の削れや両部材の材料差による異音の発生を抑制することができる。また、ピックアップローラ２２２は、フィードローラ２２３のモータ等の駆動源とは異なる別のモータ等の駆動源で駆動してもよい。
【００４０】
また、回転駆動機構２４０は、ピックアップローラ２２２、回転中継部材２６０及びギア２５０それぞれの中心軸線を含む貫通孔にその順番で軸２７０を通すように組み立てられる。本実施形態の回転駆動機構２４０では、以下に示すように、軸２７０を通して回転駆動機構２４０を組み立てるときの組立性が向上するように構成している。
【００４１】
図６（ａ）及び（ｂ）はそれぞれ比較例に係るピックアップローラ９１０の回転駆動機構の分解図及び組立図である。図６の比較例の回転駆動機構は、回転中継部材として歯車連結式のクラッチ（メカクラッチ）９００を備えている。このクラッチ９００は、ピックアップローラ９１０の側面の周方向に形成されたラチェット歯車部９１１と、そのラチェット歯車部９１１にかみ合うラチェット歯車部９２１が出力側側面の周方向に形成された回転中継部材９２０とにより構成されている。このクラッチ９００では、２つのラチェット歯車部がかみ合うことにより、駆動側の回転部材９３０から回転中継部材９２０の入力側に伝達された回転駆動力のうち一回転方向の回転駆動力のみがピックアップローラ９１０に伝達される。
【００４２】
しかしながら、比較例の回転駆動機構では、駆動側の回転部材９３０、回転中継部材及びピックアップローラ９１０それぞれの貫通孔にこの順番で軸９４０を通してホルダ９５０、９６０に取り付けるように組み立てる必要があり、組立性が悪い。
【００４３】
そこで、本実施形態のピックアップローラ２２２の回転駆動機構２４０では、軸に通す部材の数を減らすことにより組立性の向上を図っている。
【００４４】
図７は、本実施形態のＡＤＦ２２のピックアップローラ２２２の回転駆動機構２４０の一例を示す分解図である。本実施形態の回転駆動機構２４０では、回転中継部材２６０は、ハウジング部２６１と、ハウジング部２６１の内周側に圧入させて設けられた円筒状のワンウェイクラッチ２６２とを有している。ハウジング部２６１は、ギア２５０と一体的に回転するように設けられた摺動性の高い樹脂（例えば、ポリアセタール樹脂（ＰＯＭ樹脂））で作られている。回転中継部材２６０のハウジング部２６１のピックアップローラ２２２側に突出したボス部２６１ａは、ピックアップローラ２２２のギア２５０側の側面部に形成された凹部２２２ｂに固定されている。
【００４５】
ピックアップローラ２２２の回転中継部材２６０のハウジング部２６１が固定される側とは反対側の端部には、組立時に後述の軸２７０の凹部（くぼみ）２７０ｂに嵌り込むように係合する爪部２２２ｃが設けられている。ここで、ピックアップローラ２２２は、例えばＥＰＤＭゴム（エチレン・プロピレン・ジエンゴム）と摺動性の高い樹脂（例えば、ポリアセタール樹脂（ＰＯＭ樹脂））の合成部品で形成することができる。なお、回転中継部材２６０のハウジング部２６１はピックアップローラ２２２と一体的に形成してもよい。
【００４６】
また、図７に示すように、図中矢印方向に挿入される軸２７０のギア側の先端部２７０ａ（組立後にギア２５０の貫通孔２５０ａに対応する部分）は、断面が、円周の一部が欠けた欠円形（Ｄカット形状）になるように形成されている。更に、ギア２５０の貫通孔２５０ａは、軸２７０の欠円形の先端部２７０ａに係合するよう断面が欠円形（Ｄカット形状）になるように形成されている。このように軸２７０のギア側の先端部２７０ａとギア２５０の貫通孔２５０ａとを互いに係合する欠円形の断面にすることにより、軸２７０とギア２５０とが一体的に回転するようになる。
【００４７】
軸２７０には、ピックアップローラ２２２の抜け止めのために、ピックアップローラ２２２の爪部２２２ｃが嵌り込むように係合する凹部（くぼみ）２７０ｂが形成されている。組立時に、ピックアップローラ２２２の弾性を有する爪部２２２ｃが軸２７０の凹部（くぼみ）２７０ｂに嵌り込むことにより、ピックアップローラ２２２が抜けないようになっている。
【００４８】
また、ギア２５０は、ホルダ２９０に形成された支持孔２９０ａに回転自在に保持されるようにホルダ２９０側に突出したボス部２５１を有する。ここで、ギア２５０が回転するとき、ギア２５０のボス部２５１の外周面と、ホルダ２９０の支持孔２９０ａの内周面とは互いに摺動する。この摺動によるギア２５０及びホルダ２９０に削れ及び異音の発生を抑制するために、ギア２５０及びホルダ２９０それぞれを樹脂で形成してもよい。また、ギア２５０及びホルダ２９０それぞれの全体を樹脂で形成せずに、ギア２５０のボス部２５１の少なくとも外周部分を樹脂で形成し、ホルダ２９０の支持孔２９０ａの少なくとも内周部分を樹脂で形成してもよい。このように樹脂で形成することにより、樹脂同士の摺動になり、削れや異音の発生を抑制して高い耐久性が得られる。
【００４９】
ここで、ホルダ２８０，２９０は例えば剛性が高い樹脂材料（例えば、アクリロニトリル、ブタジエン及びスチレンの共重合合成樹脂であるＡＢＳ樹脂）で形成することができる。また、ボス部２５１を有するギア２５０は例えば摺動性の高い材料（例えば、ポリアセタール樹脂（ＰＯＭ樹脂））で形成することができる。
【００５０】
図８（ａ）はワンウェイクラッチ２６２のロック時の説明図であり、図８（ｂ）はワンウェイクラッチの空転時の説明図である。ワンウェイクラッチ２６２は、内周面の周方向に複数のカム形状の凹部が形成された円筒状のクラッチハウジング２６２ａと、クラッチハウジング２６２ａの各凹部に配置されたバネ２６２ｂに接続された球２６２ｃとを備えている。ワンウェイクラッチ２６２の中心軸線を含む貫通孔２６０ａにはギア２５０と連動して回転する軸２７０が通っている。ワンウェイクラッチ２６２の貫通孔２６０ａに軸２７０を通すときは、軸２７０が空転する向きに回転させながら挿入する。ここで、例えば、クラッチハウジング２６２ａは、摺動性の高い樹脂（例えば、ポリアセタール樹脂（ＰＯＭ樹脂））で形成し、球２６２ｃは金属で形成することができる。また、球２６２ｃはコロであってもよい。
【００５１】
図８（ａ）のロック時（原稿シートの送出時）には、ギア２５０と連動して所定の一回転方向に回転する軸２７０が球２６２ｃを介してクラッチハウジング２６２ａに噛み合った状態になる。この状態で、軸２７０のトルクが球２６２ｃを介してクラッチハウジング２６２ａに伝達され、クラッチハウジング２６２ａが図中矢印方向に回転する。これにより、回転中継部材２６０のハウジング部２６１とともにピックアップローラ２２２が回転駆動される。
【００５２】
一方、図８（ｂ）の空転時には、前記所定の一回転方向とは逆方向に軸２７０が回転しても、バネ２６２ｂが収縮して球２６２ｃがクラッチハウジング２６２ａ側に移動するため、軸２７０のトルクはクラッチハウジング２６２ａに伝達されない。これにより、クラッチハウジング２６２ａ、回転中継部材２６０のハウジング部２６１及びピックアップローラ２２２は回転することなく、軸２７０は空転する。
【００５３】
図９は、本実施形態のＡＤＦ２２のピックアップローラ２２２の回転駆動機構２４０の組立図である。図１０は、組立後の回転駆動機構２４０における軸２７０の一端部側（ギア側）の支持部を示す部分斜視図である。ピックアップローラ２２２、回転中継部材２６０及びギア２５０は、その順番で各部材の貫通孔２２２ａ、２６０ａ、２５０ａを貫通する軸２７０で回転可能にホルダ２８０，２９０に支持されている。また、前述のように、回転中継部材２６０のハウジング部２６１はピックアップローラ２２２と一体的に回転するように設けられ、そのハウジング部２６１の内周側に円筒状のワンウェイクラッチ２６２が圧入されて設けられている。そのため、ピックアップローラ２２２と回転中継部材２６０とが一体構造の部材になっている。この一体構造の部材の貫通孔２２２ａ、２６０ａとギア２５０の貫通孔２５０ａとに軸２７０を通して回転駆動機構２４０を組み立てることができる。このように２つの部材の貫通孔２２２ａ、２６０ａに軸２７０を通して組み立てることができるため、回転駆動機構２４０の組立性を向上させることができる。
【００５４】
なお、上記実施形態では、ピックアップローラで送出して搬送する搬送対象のシートが画像読取対象の原稿である場合について説明したが、搬送対象は原稿以外のシートであってもよい。例えば、本発明は、記録紙収容部１１に収容されているシート状の記録紙等の記録媒体を送出するピックアップローラの回転駆動機構にも適用できる。また、上記実施形態では、ピックアップローラ２２２は貫通孔２２２ａを形成した構成例について説明したが、ピックアップローラ２２２は貫通孔を有しなくてもよい。この場合、例えば、ピックアップローラ２２２のホルダ２８０側にボス部を形成し、そのピックアップローラ２２２のボス部を回転可能にホルダ２８０で保持してもよい。
【００５５】
以上に説明したものは一例であり、次の態様毎に特有の効果を奏する。
（態様Ａ）
ピックアップローラ２２２等の被駆動側の回転部材と、モータ等の駆動源からの回転駆動力が伝達される駆動側のギア２５０等の回転部材と、その駆動側の回転部材の回転駆動力のうち一回転方向の回転駆動力のみを被駆動側の回転部材に伝える回転中継部材２６０とを備える回転駆動機構２４０であって、回転中継部材２６０及び駆動側の回転部材はそれぞれ軸２７０が貫通するように中心軸線を含む貫通孔２５０ａ、２６０ａを有し、回転中継部材２６０は、被駆動側の回転部材と一体的に回転するように設けられたハウジング部２６１と、ハウジング部２６１の内周側に設けられた円筒状のワンウェイクラッチ２６２とを有し、前記駆動側の回転部材の回転駆動力が前記軸を介して前記ワンウェイクラッチの内周側に伝達されるよう前記駆動側の回転部材と前記軸との接触部を両者が連動して回転するように構成し、ギア２５０等の駆動側の回転部材は、その駆動側の回転部材を保持するホルダ２９０等の保持部材側に突出し保持部材に形成された支持孔２９０ａに回転自在に保持されたボス部２５１を有し、軸２７０の駆動側の回転部材を支持している先端部２７０ａ等の部分及び駆動側の回転部材の貫通孔の内壁面は、軸２７０及び駆動側の回転部材が一体的に回転するように形成されている。
これによれば、上記実施形態について説明したように、回転中継部材と被駆動側の回転部材とが一体構成物になっているため、組立時には一体構成物の回転中継部材の貫通孔を目指して軸を通せばよい。このため、互いに分離した２つの部材それぞれに軸を通す場合に比して組立時の軸を通す作業が容易になるので、回転駆動機構の組立性を向上させることができる。更に、前記一体構成部材と駆動側の回転部材とに軸を通す前に、駆動側の回転部材のボス部を保持部材に形成された支持孔に回転自在に予め保持させておくことができるので更に組立性が向上する。
（態様Ｂ）
上記態様Ａにおいて、ホルダ２９０等の保持部材の支持孔２９０ａの内周面とギア２５０等の駆動側の回転部材のボス部２５１の外周面とは互いに摺動可能に形成され、保持部材及び駆動側の回転部材はそれぞれ樹脂で形成されている。
これによれば、上記実施形態について説明したように、駆動側の回転部材が回転するとき、その駆動側の回転部材及び保持部材の樹脂同士が互いに摺動することになるため、一方の部材の削れや両部材の材料差による異音の発生を抑制することができる。
（態様Ｃ）
上記態様Ａ又はＢにおいて、ギア２５０等の駆動側の回転部材は、その駆動側の回転部材に回転駆動力を伝達する出力ギア３１０、中継ギア３２０、３３０、３４０等の回転駆動伝達部材と同じ材質で形成されている。
これによれば、上記実施形態について説明したように、回転部材及び回転駆動伝達部材の一方の部材の削れや両部材の材料差による異音の発生を抑制することができる。
（態様Ｄ）
読取対象の画像を有する原稿シートＳ等のシートが載置される原稿トレイ２２１等の載置部と、載置部に載置されたシートを送出するピックアップローラ２２２等の送出ローラと、送出ローラで送出されたシートを搬送するフィードローラ２２３等の搬送ローラと、搬送ローラで搬送されたシートの画像を読み取る画像読取部２１等の画像読取手段と、を備えた画像読取装置２０であって、送出ローラを回転駆動する回転駆動機構として、上記態様Ａ乃至Ｃのいずれかの回転駆動機構を備える。
これによれば、上記実施形態について説明したように、画像読取装置における駆動側の回転部材の回転駆動力のうち一回転方向の回転駆動力のみを送出ローラに伝達して回転駆動する回転駆動機構の組立性を向上させることができる。
（態様Ｅ）
読取対象の画像を有する原稿シートＳ等のシートが載置される原稿トレイ２２１等の載置部と、載置部に載置されたシートを送出するピックアップローラ２２２等の送出ローラと、送出ローラで送出されたシートを搬送するフィードローラ２２３等の搬送ローラと、搬送ローラで搬送されたシートの画像を読み取る画像読取部２１等の画像読取手段と、画像読取手段で読み取った画像に基づいて、記録紙等の記録媒体上に画像を形成する画像形成部１２等の画像形成手段と、を備えた画像形成装置１であって、送出ローラを回転駆動する回転駆動機構として、上記態様Ａ乃至Ｃのいずれかの回転駆動機構を備える。
これによれば、上記実施形態について説明したように、画像形成装置の画像読取装置における駆動側の回転部材の回転駆動力のうち一回転方向の回転駆動力のみを送出ローラに伝達して回転駆動する回転駆動機構の組立性を向上させることができる。
（態様Ｆ）
画像形成対象のシート状の記録紙等の記録媒体が載置される給紙トレイ等の載置部と、載置部に載置された記録媒体を送出するピックアップローラ等の送出ローラと、送出ローラで送出された記録媒体を搬送する搬送ローラと、搬送ローラで搬送された記録媒体上に画像を形成する画像形成部１２等の画像形成手段と、を備えた画像形成装置１であって、送出ローラを回転駆動する回転駆動機構として、上記態様Ａ乃至Ｃのいずれかの回転駆動機構を備える。
これによれば、上記実施形態について説明したように、画像形成装置における駆動側の回転部材の回転駆動力のうち一回転方向の回転駆動力のみを送出ローラに伝達して回転駆動する回転駆動機構の組立性を向上させることができる。
【符号の説明】
【００５６】
１：画像形成装置
１０：画像形成装置本体
１１：記録紙収容部
１２：画像形成部
２０：画像読取装置
２１：画像読取部
２２：自動原稿搬送装置（ＡＤＦ）
２１１：キャリッジ
２１２：一体型光学走査ユニット
２１３：被検知部
２１４：ガイドレール
２１５：フラットベッドコンタクトガラス
２１６：ＤＦコンタクトガラス
２１７：ホームポジションセンサ
２１８：ホームポジションセンサ
２２１：原稿トレイ
２２１ａ：載置面
２２２：ピックアップローラ
２２２ａ：貫通孔
２２３：フィードローラ
２２４：搬送ローラ
２２５：搬送ローラ
２２６：排紙トレイ
２２７：特殊原稿供給トレイ
２２８：原稿搬送経路
２２９：サイドガイド板
２３０：カバー
２３０ａ：給紙口
２３１：特殊原稿供給部
２３２：特殊原稿供給口
２３３：特殊原稿搬送経路
２４０：回転駆動機構
２５０：ギア
２５０ａ：貫通孔
２５１：ボス部
２６０：回転中継部材
２６０ａ：貫通孔
２６１：ハウジング部
２６１ａ：ボス部
２６２：ワンウェイクラッチ
２７０：軸
２７０ａ：軸の先端部
２８０，２９０：ホルダ
２８０ａ，２９０ａ：貫通孔
【先行技術文献】
【特許文献】
【００５７】
【特許文献１】特開２０１６−２２５９１８号公報
【図１】
2018154415.tif 000003
【図２】
2018154415.tif 000004
【図３】
2018154415.tif 000005
【図４】
2018154415.tif 000006
【図５】
2018154415.tif 000007
【図６】
2018154415.tif 000008
【図７】
2018154415.tif 000009
【図８】
2018154415.tif 000010
【図９】
2018154415.tif 000011
【図１０】
2018154415.tif 000012